(57)【特許請求の範囲】
【請求項１】
複数のスピーカと、各スピーカを鳴動して誘導音声を出力させる音声制御装置とを備え、複数の異なる出口と接続する避難通路及び避難通路以外の一般通路に沿って各出口に向けてスピーカを設置し、火災発生時に人を各出口へ向かわせるように音声制御装置により誘導音声を各スピーカから遅延して出力させる音声避難誘導システムにおいて、火災源から所定の範囲内に設置してある１乃至複数のスピーカを鳴動させないことを特徴とする音声避難誘導システム。
【請求項２】
火災源から略２０ｍ以内の範囲に設置してある１乃至複数のスピーカを鳴動させないことを特徴とする請求項１記載の音声避難誘導システム。
【発明の詳細な説明】
【０００１】
【発明の属する技術分野】
本発明は、ビルや地下街において火災発生時にスピーカから出力する誘導音声による先行音効果にて人を出口（避難口）に誘導する音声避難誘導システムに関するものである。
【０００２】
【従来の技術】
従来、図７に示すように通路Ｌ１０に沿って所定間隔（８〜１０ｍ）で複数のスピーカＳＰ１１〜ＳＰ１４を設置し、誘導しようとする出口Ｅ１０に近いスピーカＳＰ１１から順に誘導音声を遅延させて出力することにより、所謂先行音効果を利用して人を出口Ｅ１０の方へ誘導する音声避難誘導システムが提案されている（社団法人日本照明器具工業会誘導灯認定委員会発行：音声誘導に関する基礎研究報告書、１９９２．３（文献１）並びに社団法人日本照明器具工業会発行：積極避難誘導システム技術基準（案）、１９９３（文献２）参照）。これら文献１及び文献２に開示されている従来システムは、直線、曲がり角、Ｔ字路又は十字路等の各種通路において、１方向のみへ誘導する、すなわち任意の隣接する２つのスピーカに挟まれた空間では１方向（１つの出口）のみへ誘導するといった比較的小規模で単純な状況での避難誘導に限られていた。なお、上記文献２では、火災の状況によって避難経路を変更する場合を想定して、スピーカを双方向に向けて配置するシステムが開示されているが、同時に２方向への避難誘導を行うわけではないため、実質的には何れか一方の出口への誘導を行う点で図７に示したものと変わりはない。
【０００３】
一方、図８に示すようにアトリウムのような比較的に広い室内空間Ｓ１０において、この室内空間Ｓ１０の四隅に設けられた各出口Ｅ１１〜Ｅ１４の近傍にそれぞれスピーカＳＰ１１〜ＳＰ１４を設置し、例えば１つの出口Ｅ１１に人を誘導しようとする場合であれば、他の出口Ｅ１２〜Ｅ１４の近傍に設置したスピーカＳＰ１２〜ＳＰ１４を出口Ｅ１１の近傍に設置したスピーカＳＰ１１よりも遅延させて誘導音声を出力するようにした音声避難誘導システムも提案されている（伊藤他：先行音効果を利用した音声避難誘導の二次元空間への応用、日本音響学会平成８年春季研究発表会講演論文集、ｐ．８５９  〜８６０  、１９９６．３（文献３）並びに伊藤他：先行音効果を利用した音声避難誘導の二次元空間への応用−スピーカの設置高さを変えた場合の音の方向感と誘導効果−、日本音響学会平成９年春季研究発表会講演論文集、ｐ．８７７  〜８７８  、１９９７．３（文献４））。これらの文献３，４では、比較的単純な形状（長方形）の室内空間Ｓ１０において避難誘導を行うシステムを開示している。
【０００４】
さらに図９に示すように、比較的に広い２つの空間（公共広場等）Ａ１  ，Ａ２  を接続する通路Ｌ１１と、この通路Ｌ１１の途中から出口Ｅ１５に接続する通路Ｌ１２とにそれぞれ複数のスピーカＳＰ１１〜ＳＰ１８を設置し、図示しない音声制御装置によってスピーカＳＰ１１〜ＳＰ１３、ＳＰ１４〜ＳＰ１７、ＳＰ１４とＳＰ１５とＳＰ１８のそれぞれを組として誘導音声を出力させる音声避難誘導システムも提案されている。スピーカＳＰ１１〜ＳＰ１３は、空間Ａ１  への出口Ｅ１６に誘導するためのスピーカであって、出口Ｅ１６の最も近傍に設置したスピーカＳＰ１１から順に遅延させて誘導音声を出力する。またスピーカＳＰ１４〜ＳＰ１７は、通路Ｌ１２を通って出口Ｅ１５に誘導するためのスピーカであって、出口Ｅ１５の最も近傍に設置したスピーカＳＰ１４から順に遅延させて誘導音声を出力する。なお、スピーカＳＰ１４とＳＰ１５とＳＰ１８も同様に出口Ｅ１５に誘導するためのスピーカであって、出口Ｅ１５の最も近傍に設置したスピーカＳＰ１４から順に遅延させて誘導音声を出力する。
【０００５】
【発明が解決しようとする課題】
ところが、上記文献１〜４に記載されている従来システムは実験のために比較的に単純な構造の空間で使用するものであり、比較的に広い空間と通路等が組み合わされた実際の建物や大規模で複雑な形状を有する空間では充分な避難誘導ができない虞があった。
【０００６】
一方、図９に示した従来システムにおいては、仮にスピーカＳＰ１２とＳＰ１３の間の地点から火災が発生した場合には、スピーカＳＰ１１〜ＳＰ１３と、スピーカＳＰ１４〜ＳＰ１７とを鳴動させて誘導音声を出力することにより、それぞれ出口Ｅ１５及び出口Ｅ１６へ誘導するのであるが、例えば火元に近いスピーカＳＰ１３の近くに居る人がスピーカＳＰ１１〜ＳＰ１３の先行音効果により出口Ｅ１６へ誘導され、却って火元に近づいてしまうという不都合が生じる。
【０００７】
請求項１及び２の発明は上記後者の問題に鑑みて為されたものであり、その目的とするところは、危険な方へ誘導することなく的確な避難誘導が行える音声避難誘導システムを提供することにある。
【０００８】
【課題を解決するための手段】
請求項１の発明は、上記目的を達成するために、複数のスピーカと、各スピーカを鳴動して誘導音声を出力させる音声制御装置とを備え、複数の異なる出口と接続する避難通路及び避難通路以外の一般通路に沿って各出口に向けてスピーカを設置し、火災発生時に人を各出口へ向かわせるように音声制御装置により誘導音声を各スピーカから遅延して出力させる音声避難誘導システムにおいて、火災源から所定の範囲内に設置してある１乃至複数のスピーカを鳴動させないことを特徴とし、火災源から所定の範囲内に居る人を火災源に近づく方向へ誘導することがなく、安全且つ確実に出口への誘導が行える。
【００１２】
請求項２の発明は、請求項１の発明において、火災源から略２０ｍ以内の範囲に設置してある１乃至複数のスピーカを鳴動させないことを特徴とし、火災源から略２０ｍ以内の範囲内に居る人を火災源に近づく方向へ誘導することがなく、安全且つ確実に出口への誘導が行える。
【００１４】
【発明の実施の形態】
本発明の実施形態について説明する前に、本発明に関連した参考例について説明する。
（参考例１）
図１は本参考例のシステム構成を示し、複数のスピーカＳＰ１〜ＳＰｎと、各スピーカＳＰ１〜ＳＰｎを鳴動して誘導音声を出力させる音声制御装置１とを備え、音声制御装置１には火災感知器等を具備する自火報装置２等を接続する。すなわち、火災発生時には自火報装置２からの制御信号により音声制御装置１が各スピーカＳＰ１〜ＳＰｎを鳴動時期を同期させて鳴動させる。
【００１５】
本参考例では、図２に示すような形状的並びに吸音・反射等の音響的特性の一様な空間（広場Ａ）を便宜的に考え、この広場Ａから最終出口への避難経路の境界付近を出口Ｅ１〜Ｅ４とした状況に本発明システムを適用し、広場Ａ内に居る人を各出口Ｅ１〜Ｅ４へ誘導させる場合について例示する。この広場Ａは例えば地下１階にあり、ほぼ四隅に位置する各出口Ｅ１〜Ｅ４のうちで出口Ｅ１，Ｅ４が地上へ通じる階段に直接通じており、出口Ｅ１，Ｅ４が最終出口となる。また残りの出口Ｅ２，Ｅ３は地上に出るための最終出口Ｅ２’，Ｅ３’に通じる避難通路Ｌ２，Ｌ３に接続されている。なお、Ｌａ及びＬｂは広場Ａの略中心線に沿って延びる通路（店舗街等）である。
【００１６】
各出口Ｅ１  〜Ｅ４  の近傍には、誘導音声を概ね広場Ａの中心方向に放射するように各々スピーカＳＰ１  〜ＳＰ４  が広場Ａの天井面（高さ３〜４ｍ）に設置してある。さらに出口Ｅ２  ，Ｅ３  に接続する避難通路Ｌ２  ，Ｌ３  に沿って約１０ｍ（約８〜１０ｍで可）の間隔で複数のスピーカＳＰ５  〜ＳＰ７  がその天井面（高さ２．４ｍ）に設置してある。なお、各スピーカＳＰ１  〜ＳＰ７  は、主軸が天井面から約３０度下方に傾くように設置してある。また、各スピーカＳＰ１  〜ＳＰ７  から出力される誘導音声の音圧レベルは、スピーカＳＰ１  …の正面１ｍ前で約９０〔ｄＢＡ〕とする。さらにスピーカＳＰ１  …から出力される誘導音声は、例えばチャイムと、女性の声による「非常口はこちらです。」というメッセージから成る。
【００１７】
ところで、従来例で説明した先行音効果によれば、例えば２つのスピーカから発せられた音が人間の耳に数十ミリ秒だけ位相がずれて到達する場合、人間の耳に聞こえる音の大きさの差があまり大きくないとき（上記文献４によると７〔ｄＢＡ〕以下）には、人間は先に耳に到達した音の方のみを知覚する。よって２つのスピーカから同時に同期する音声を出力した場合には、人間の耳に到達するまでの距離が短い方のスピーカからの音声のみが知覚される。また、あるスピーカが他のスピーカに比較して人間の耳までの距離が長い場合でも、その差の距離を音が伝搬する時間よりも数十ミリ秒程長く、他のスピーカよりも先に鳴動させる、つまり位相を先にずらすことで人間の耳までの距離が長い方のスピーカの音を知覚させるようにすることが可能である。
【００１８】
そこで、図２に示す広場Ａのような比較的に広い空間にスピーカＳＰ１  〜ＳＰ４  を設置した出口Ｅ１  〜Ｅ４  が複数個ある状況で、各スピーカＳＰ１  〜ＳＰ４  が誘導音声を出力する鳴動時期を同時に同期させることにより、広場Ａ内に居る人（以下、「在館者」と呼ぶ。）に対して最も距離の近いスピーカＳＰ１  〜ＳＰ４  からの誘導音声のみを知覚させ、各在館者を自己が知覚した誘導音声を出力したスピーカＳＰ１  〜ＳＰ４  の設置された出口Ｅ１  〜Ｅ４  に誘導する。以下、説明のために上記のように避難誘導することを「均等に誘導する」という。
【００１９】
例えば、広場Ａの略中央で火災が発生した場合には、その場から最も近い出口Ｅ１  〜Ｅ４  に在館者を誘導することにより、在館者を火元（火災源）Ｘから遠ざけるように誘導するのが最も安全且つ確実である。そこで、このような場合には自火報装置２から制御信号を受けた音声制御装置１が、出口Ｅ１  〜Ｅ４  の近傍に設置したスピーカＳＰ１  〜ＳＰ４  を同時に鳴動させる。その結果、図２において領域アに居る在館者は出口Ｅ１  に、領域イに居る在館者は出口Ｅ２  に、領域ウに居る在館者は出口Ｅ３  に、領域エに居る在館者が出口Ｅ４  にそれぞれ誘導される。ちなみに、各領域ア〜エの境界線は、隣合うスピーカＳＰ１  〜ＳＰ４  から等距離の位置を結んだ線分にほぼ近いものである。
【００２０】
一方、出口Ｅ２  から最終出口Ｅ２  ’まで避難通路Ｌ２  に沿って在館者を誘導するため、スピーカＳＰ２  よりも最終出口Ｅ２  ’に近いスピーカＳＰ５  ，ＳＰ６  を各々順に約６５ミリ秒ずつ位相を先行し同期させて鳴動する。すなわち、最終出口Ｅ２  ’から出口Ｅ２  に向かう順にスピーカＳＰ６  ，ＳＰ５  ，ＳＰ２  を鳴動するように、各スピーカＳＰ６  ，ＳＰ５  ，ＳＰ２  の鳴動時期に位相差を設けて同期させる。ここで位相差の大きさとしては隣接する２つのスピーカＳＰ６  ，ＳＰ５  ，ＳＰ２  間の距離を音が伝搬する時間よりも数十ミリ秒だけ長くすればよい。このようにすれば、出口Ｅ２  から最終出口Ｅ２  ’までの避難通路Ｌ２  において、在館者には自己の位置よりも最終出口Ｅ２  ’側にあるスピーカＳＰ５  ，ＳＰ６  からの誘導音声が出口Ｅ２  側に設置したスピーカＳＰ２  からの誘導音声よりも先に到達し、在館者は最終出口Ｅ２  ’の方向へ誘導音声を知覚する。その結果、先行音効果によって出口Ｅ２  に誘導されてきた在館者が避難通路Ｌ２  に沿って最終出口Ｅ２  ’まで誘導される。この時、スピーカＳＰ３  ，ＳＰ５  のすぐ近く（背面側）で各々誘導方向に設置してあるスピーカＳＰ５  ，ＳＰ６  からの誘導音声よりもスピーカＳＰ３  ，ＳＰ５  からの誘導音声の方が大きく聞こえるために、最終出口Ｅ２  ’の方向に誘導音声の方向感が得られない場合がある。このような場合には、スピーカＳＰ３  の音圧レベルをスピーカＳＰ５  の音圧レベルよりも若干（例えば２〜３〔ｄＢＡ〕）低くするとともに、スピーカＳＰ５  の音圧レベルもスピーカＳＰ６  の音圧レベルよりも若干低くすれば、上記のような不具合の発生は回避できる。
【００２１】
同様に、出口Ｅ３  から最終出口Ｅ３  ’まで避難通路Ｌ３  に沿って在館者を誘導するため、スピーカＳＰ３  よりも最終出口Ｅ３  ’に近いスピーカＳＰ７  を約６５ミリ秒だけ位相を先行し同期させて鳴動すれば、出口Ｅ３  に誘導されてきた在館者をさらに避難通路Ｌ３  に沿って最終出口Ｅ３  ’まで誘導することができる。
ところで、火災の発生状況によっては４つの出口Ｅ１  〜Ｅ４  のうちの何れかに優先的に在館者を誘導したい場合がある。
【００２２】
そこで、在館者から最も距離の近いスピーカＳＰ１  …ではなく、他のスピーカＳＰ１  …からの誘導音声が先に在館者に伝搬するように、後者のスピーカＳＰ１  …を前者のスピーカＳＰ１  …よりも先に位相をずらして同期させて誘導音声を出力するようにすれば、後者のスピーカＳＰ１  …を設置した出口Ｅ１  …に在館者を優先的に誘導することができる。以下、説明のために上記のように避難誘導することを「優先して誘導する」という。なお、２つ以上の出口Ｅ１  …に優先して誘導することも勿論可能である。つまり、広場Ａ等の空間に３つ以上の出口が在る場合に、任意の２つの出口への優先関係から、３つ以上の出口のお互いの優先関係を規定することができる。
【００２３】
例えば、広場Ａの略中央よりも出口Ｅ１  から遠い場所で火災が発生した場合や、火元が広場Ａの外であって出口Ｅ１  が他の出口Ｅ２  〜Ｅ４  への経路に比較して広く、多くの在館者を出口Ｅ１  に誘導したい場合には、出口Ｅ１  に優先して誘導する、言い換えれば、出口Ｅ１  に誘導される領域アを広げるとともに他の領域イ〜エを狭くすることで在館者を火元から遠ざかる方向に誘導したり、多くの在館者を効率良く避難させることができるものである。
【００２４】
そこで、このような場合には自火報装置２から制御信号を受けた音声制御装置１が、出口Ｅ１  の近傍に設置したスピーカＳＰ１  を他の出口Ｅ２  〜Ｅ４  近傍に設置したスピーカＳＰ２  〜ＳＰ４  よりも約４０ミリ秒だけ位相を先行して同期させ、他のスピーカＳＰ２  〜ＳＰ４  を同時に同期させて鳴動させる。その結果、出口Ｅ１  に誘導される領域アが拡がり、他の出口Ｅ２  〜Ｅ４  に対して出口Ｅ１  へ優先して誘導することができる。なお、出口Ｅ２  ，Ｅ３  から避難通路Ｌ２  ，Ｌ３  を通って最終出口Ｅ２  ’，Ｅ３  ’まで在館者を誘導する方法は、各出口Ｅ１  〜Ｅ４  に均等に誘導する場合に説明したので省略する。
【００２５】
上述のように本参考例によれば、広場Ａのような比較的に広い空間に出口Ｅ１〜Ｅ４が複数個在って、各出口Ｅ１〜Ｅ４の近傍にスピーカＳＰ１〜ＳＰ４を設置した場合、出口Ｅ１〜Ｅ４の近傍に設置した各スピーカＳＰ１〜ＳＰ４の鳴動時期を同時若しくは位相差を設けて同期させることにより、各出口Ｅ１〜Ｅ４に均等に誘導したり、あるいは何れかの出口Ｅ１…に優先して誘導することができ、火災等の発生状況に応じた適切な出口Ｅ１…を有効に使い、最終出口Ｅ１〜Ｅ４まで安全且つ確実な避難誘導が行える。
【００２６】
（参考例２）
本参考例においては、地下１階にある比較的に広い２つの空間（広場Ａ１，Ａ２）を接続する中央通路Ｌｃの両側に店舗街が設けられ、その中央通路Ｌｃの途中に地上に出るための最終出口Ｆ３へ通じる通路Ｌ４を有する状況下で、中央通路Ｌｃにて火災が発生した場合の避難誘導について説明する。但し、システム構成ついては参考例１と共通であるから図示及び説明は省略する。また、中央通路ｃから各広場Ａ１，Ａ２への出口を最終出口Ｆ１，Ｆ２とする。
【００２７】
いま、中央通路Ｌｃの通路Ｌ４よりも広場Ａ１に近い場所Ｙで火災が発生したとする。このように店舗街で火災が発生した場合には、中央通路Ｌｃの両側にある広場Ａ１，Ａ２若しくは直接地上へ避難できる最終出口Ｆ３へ在館者を誘導する。
ここで、中央通路Ｌｃの火災源（火元）Ｙに近い場所で領域アに居る在館者を広場Ａ１の方の最終出口Ｆ１へ、領域イに居る在館者を広場Ａ２の方の最終出口Ｆ２へそれぞれ均等に誘導する場合には、領域ア及び領域イに最も近い場所に設置したスピーカＳＰ３，ＳＰ７を音声制御装置１により同時に鳴動させる。その結果、参考例１で説明したように領域アに居る在館者にはスピーカＳＰ３からの誘導音声がスピーカＳＰ７からの誘導音声よりも先に到達し、領域イに居る在館者にはスピーカＳＰ７からの誘導音声がスピーカＳＰ３からの誘導音声よりも先に到達するため、各領域ア，イに居る在館者が火元Ｙに近づく方向へ誘導されることはない。ちなみに２つの領域ア，イの境界線は各スピーカＳＰ３，ＳＰ７からの等距離の位置を結んだ線分にほぼ近いものである。
【００２８】
そして、領域アから最終出口Ｆ１  へ在館者を誘導するために、スピーカＳＰ２  をスピーカＳＰ３  よりも約６５ミリ秒、スピーカＳＰ１  をスピーカＳＰ２  よりも約６５ミリ秒だけ位相を先行し同期させて鳴動させる。また、領域イから最終出口Ｆ３  へ在館者を誘導するために、スピーカＳＰ６  をスピーカＳＰ７  よりも約６５ミリ秒、スピーカＳＰ５  をスピーカＳＰ６  よりも約６５ミリ秒、スピーカＳＰ４  をスピーカＳＰ５  よりも約６５ミリ秒だけ位相を先行し同期させて鳴動させる。これにより、領域アから最終出口Ｆ１  側に居る在館者は最終出口Ｆ１  に、領域イから最終出口Ｆ３  側に居る在館者は最終出口Ｆ３  に、さらに通路Ｌ４  から最終出口Ｆ２  側に居る在館者は最終出口Ｆ２  に各々誘導することができる。
【００２９】
一方、最終出口Ｆ１  に他の最終出口Ｆ２  ，Ｆ３  よりも優先して在館者を誘導する場合、すなわち、上記のように均等に誘導する場合よりも領域アを広げるとともに、領域イを狭くするような場合には、スピーカＳＰ３  をスピーカＳＰ７  よりも約４０ミリ秒だけ位相を先行し同期させて鳴動させる。その結果、最終出口Ｆ１  に誘導される領域アが広がり、他の最終出口Ｆ２  ，Ｆ３  に対して最終出口Ｆ１  へ優先して誘導することができる。なお、領域アから最終出口Ｆ１  への誘導や、領域イから最終出口Ｆ３  までの誘導のために、スピーカＳＰ１  〜ＳＰ７  を位相をずらし同期させて鳴動する方法は、上述のように均等に誘導する場合と同様であるから説明は省略する。
【００３０】
（実施形態１）
ところで上記参考例２の状況下において、火災がスピーカＳＰ２の設置場所とスピーカＳＰ３の設置場所の間（スピーカＳＰ３よりも最終出口Ｆ１に近い場所）で発生した場合を考える。このとき、参考例２と同様にスピーカＳＰ３を鳴動させると、火元ＹよりもスピーカＳＰ３に近い場所に居る在館者Ｍが火元Ｙへ近づく方向へ誘導される虞がある。
【００３１】
そこで、本実施形態では、上記のような場合に火元Ｙに近く且つ火元Ｙが背面側にあるスピーカＳＰ３  を音声制御装置１により鳴動させないことにより、スピーカＳＰ３  の近くに居る在館者ＭをスピーカＳＰ４  〜ＳＰ７  による先行音効果で最終出口Ｆ３  に誘導するものである。これにより、在館者Ｍを火元Ｙに近づける方向へ誘導する虞がなくなり、安全且つ確実な避難誘導が行える。また、本実施形態の場合にはスピーカＳＰ８  も鳴動させないようにしている。
【００３２】
なお、一般的にはスピーカＳＰ１  〜ＳＰ８  の音圧は９０〔ｄＢＡ〕以上の同等レベルとするか、あるいは７０〔ｄＢＡ〕までの範囲で調節してもよいが、その場合にはスピーカＳＰ１  を９０〔ｄＢＡ〕、スピーカＳＰ２  を８８〔ｄＢＡ〕、スピーカＳＰ４  を９２〔ｄＢＡ〕、スピーカＳＰ５  を９０〔ｄＢＡ〕、スピーカＳＰ６  を８８〔ｄＢＡ〕、スピーカＳＰ７  を８６〔ｄＢＡ〕というように、最終出口Ｆ１  ，Ｆ３  から遠ざかるにつれて音圧を低下するようにしてもよい。
【００３３】
ここで、図５に示すようにスピーカＳＰ３  だけでなく、同様に火元Ｙに近いスピーカＳＰ２  も音声制御装置１により鳴動させないようにしてもよい。すなわち、スピーカＳＰ７  がスピーカＳＰ３  の近くに居る在館者Ｍから遠い場所に設置してある場合に、スピーカＳＰ４  〜ＳＰ７  による先行音効果よりも、スピーカＳＰ２  からの誘導音声を避難方向と間違う虞がある。
【００３４】
そこで、火元Ｙ周辺（例えば、火元Ｙ周辺からの距離が２０ｍ以内とするのが望ましい。）に設置したスピーカＳＰ２  ，ＳＰ３  を全て鳴動させないようにすれば、スピーカＳＰ３  の近くに居る在館者Ｍを火元Ｙから遠ざける方向（最終出口Ｆ３  ）に誘導することができ、在館者Ｍを火元Ｙから離れる方向へ安全且つ確実に誘導することができる。
【００３５】
（実施形態２）
本実施形態では、火元を挟んで対向するように設置したスピーカを、火元からの距離に応じて鳴動時期を同期させて制御するようにしている。
実施形態１の状況下で具体的に説明すると、火元Ｙを挟んで対向する２つのスピーカＳＰ１，ＳＰ７の火元Ｙからの距離ａ１，ａ２が等しい場合（ａ１＝ａ２）には、音声制御装置１により２つのスピーカＳＰ１，ＳＰ７を同時に鳴動するとともに、スピーカＳＰ７と組になるスピーカＳＰ４〜ＳＰ６を順次位相をずらしてスピーカＳＰ４，ＳＰ５，ＳＰ６の順で先行して鳴動させる。その結果、火元ＹからスピーカＳＰ１に近い側に居る在館者を最終出口Ｆ１の方へ誘導し、火元ＹからスピーカＳＰ７に近い側に居る在館者Ｍを最終出口Ｆ３の方へ誘導することができ、それぞれ火元Ｙから離れる方向へ安全に避難させることができる。なお、火元Ｙに最も近いスピーカＳＰ２，ＳＰ３を鳴動させない点は実施形態１と共通である。
【００３６】
ここで、火元ＹからスピーカＳＰ１  までの距離ａ１  が、スピーカＳＰ７  までの距離ａ２  よりも小さい場合（ａ１  ＜ａ２  ）には、スピーカＳＰ７  をスピーカＳＰ１  よりも先に鳴動させることにより、火元Ｙの近くに居る在館者Ｍを最終出口Ｆ３  の方へ誘導し、火元Ｙに近づく方向へ誘導することなく安全に避難誘導することができる。なお、火元ＹからスピーカＳＰ１  までの距離ａ１  が、スピーカＳＰ７  までの距離ａ２  よりも大きい場合（ａ１  ＞ａ２  ）には、スピーカＳＰ１  をスピーカＳＰ７  よりも先に鳴動させるようにすればよい。
【００３７】
【発明の効果】
請求項１の発明は、複数のスピーカと、各スピーカを鳴動して誘導音声を出力させる音声制御装置とを備え、複数の異なる出口と接続する避難通路及び避難通路以外の一般通路に沿って各出口に向けてスピーカを設置し、火災発生時に人を各出口へ向かわせるように音声制御装置により誘導音声を各スピーカから遅延して出力させる音声避難誘導システムにおいて、火災源から所定の範囲内に設置してある１乃至複数のスピーカを鳴動させないので、火災源から所定の範囲内に居る人を火災源に近づく方向へ誘導することがなく、安全且つ確実に出口への誘導が行えるという効果がある。
【００４１】
請求項２の発明は、火災源から略２０ｍ以内の範囲に設置してある１乃至複数のスピーカを鳴動させないので、火災源から略２０ｍ以内の範囲内に居る人を火災源に近づく方向へ誘導することがなく、安全且つ確実に出口への誘導が行えるという効果がある。
【図面の簡単な説明】
【図１】参考例１を示すシステム構成図である。
【図２】同上における避難誘導の方法を説明するための図である。
【図３】参考例２における避難誘導の方法を説明するための図である。
【図４】実施形態１における避難誘導の方法を説明するための図である。
【図５】同上における他の避難誘導の方法を説明するための図である。
【図６】実施形態２における避難誘導の方法を説明するための図である。
【図７】従来例における避難誘導の方法を説明するための図である。
【図８】他の従来例における避難誘導の方法を説明するための図である。
【図９】さらに他の従来例における避難誘導の方法を説明するための図である。
【符号の説明】
１  音声制御装置
ＳＰ１…  スピーカ
【図１】
0003587022.tif 000002
【図２】
0003587022.tif 000003
【図３】
0003587022.tif 000004
【図４】
0003587022.tif 000005
【図５】
0003587022.tif 000006
【図６】
0003587022.tif 000007
【図７】
0003587022.tif 000008
【図８】
0003587022.tif 000009
【図９】
0003587022.tif 000010